(57)【要約】【課題】尿漏れによる下着の汚れを防止しつつ、身体の状態を正確に検査することができる尿検査装置を提供する。【解決手段】尿検査装置１０は、装着者からの排尿を吸収する吸水部２３が設けられた装置本体２０と、吸水部２３上に配置された検査部３０と、装置本体２０に設けられ、検査部３０を露出から遮蔽する遮蔽部４０とを備えている。男性用の尿検査装置１０では、装置本体２０が、略半球状部材により形成され、検査部３０が装置本体２０の内側面に配置されており、遮蔽部４０として、装置本体２０の開口部２４を閉塞する密着部材により形成されている。密着部材として、線状の凹部と凸部とを嵌め合わせるジッパー部材を使用すると、装置本体２０の内部空間を密閉することができる。【選択図】図１
2014100388.tif 000002
【特許請求の範囲】
【請求項１】
装着者からの排尿を吸収する吸水部が設けられた装置本体と、
前記吸水部上に配置された検査部と、
前記装置本体に設けられ、前記検査部を露出から遮蔽する遮蔽部とを備えたことを特徴とする尿検査装置。
【請求項２】
前記装置本体は、略半球状部材により形成され、
前記検査部は、前記装置本体の内側面に配置され、
前記遮蔽部は、前記装置本体の開口部を閉塞する密着部材により形成されている請求項１記載の尿検査装置。
【請求項３】
前記装着者が装着したときに前部となる前記装置本体の深さが深く、前記装置本体の後部が浅く形成されている請求項２記載の尿検査装置。
【請求項４】
前記装置本体は、略帯状部材により形成され、
前記検査部は、前記装置本体の装着面側に配置され、
前記遮蔽部は、前記装置本体の一側の側部または他側の側部のいずれか一方、または両方に突出させて設けられ、前記検査部上に折り曲げて前記検査部を閉塞する翼部である請求項１記載の尿検査装置。
【請求項５】
前記装置本体の一端部または他端部のいずれか一方、または両方を折り曲げて、折り曲げた前記翼部を覆い固定するための接着部が設けられている請求項４記載の尿検査装置。
【発明の詳細な説明】
【技術分野】
【０００１】
本発明は、排出した尿を採取することで、身体の状態が検査できる尿検査装置に関するものである。
【背景技術】
【０００２】
尿を検査することで、身体の状態がわかる。例えば、病院や定期健診で使用されたり、薬局で販売されたりする検査紙では、尿糖や尿蛋白の度合いが反応色によって判別でき、尿糖であれば糖尿病、尿蛋白であれば腎臓病などの陽性・陰性を判定することができる。
検査紙は、尿を直接掛けたり、一度コップに採取した尿に浸漬させたりして使用されるが、例えば、尿の酸性状態やアルカリ状態に反応する指示薬が医療検査手段として、排尿の際に使用される使い捨ての排尿補助具に含ませたものも知られている（例えば、特許文献１参照。）。
【０００３】
一方、排尿後の残尿による尿漏れは、下着が濡れたり肌に付いたりして不快感が生じるだけでなく、不衛生であるため、当人にとっては深刻な問題である。このような尿漏れが生じても下着を汚さないようにするためのものが知られている（例えば、特許文献２参照。）。特許文献２に記載の男性用両漏れサックは、先端球状の高分子ポリマーの根本から筒状のゴムの巻いた形、又はシールテープの付いた半割れ筒状の物を男性の性器に密着させるものである。
【先行技術文献】
【特許文献】
【０００４】
【特許文献１】特表２００３−５０７１２５号公報
【特許文献２】特開２００５−１７７４１１号公報
【発明の概要】
【発明が解決しようとする課題】
【０００５】
例えば、特許文献２に記載の男性用両漏れサックに、特許文献１に記載されているような指示薬（検査薬）を浸漬させて、尿漏れによる汚れを防止しつつ、身体の検査を行うことが考えられる。
しかし、自宅で検査したときに、装着者は自身の判断だけでなく、専門家の判断を仰ぎたいことがある。そうしたときに、自宅から医療機関まで移動する必要があるが、検査薬は湿気を嫌うため、移動中に検査薬の反応が変化し、医療機関に到着したときには、正確な判断ができない状態となってしまうおそれがある。
【０００６】
そこで本発明は、尿漏れによる下着の汚れを防止しつつ、身体の状態を正確に検査することができる尿検査装置を提供することを目的とする。
【課題を解決するための手段】
【０００７】
本発明の尿検査装置は、装着者からの排尿を吸収する吸水部が設けられた装置本体と、前記吸水部上に配置された検査部と、前記装置本体に設けられ、前記検査部を露出から遮蔽する遮蔽部とを備えたことを特徴とする。
【０００８】
本発明の尿検査装置によれば、排尿の後に装着することで、尿漏れがあっても装置本体の吸水部が排出された残尿を吸収するため、下着を汚したり、ズボンやスカートを汚したりすることを防止することができる。排出された残尿は、吸水部で吸収される他、検査部にも付着することで、身体の状態を検査することができる。このとき、装着者は、装置本体に設けられた遮蔽部により検査部を露出から遮蔽することで、検査部の尿の状態が変換して検査環境が変化することが防止できる。
【０００９】
前記装置本体が、略半球状部材により形成され、前記検査部が、前記装置本体の内側面に配置され、前記遮蔽部は、前記装置本体の開口部を閉塞する密着部材により形成されていると、男性用の尿検査装置とすることができる。
男性装着者の陰茎を装置本体内へ挿入して尿漏れによる尿を吸水部により吸い取らせ、検査部によって検査した後は、密着部材により、装置本体の開口部の一方の半円部と他方の半円部とを合わせて閉塞する。そうすることで、装置本体の内部は閉塞された空間となり、検査部が露出しなくなるので、検査部の状態を排尿したときの状態に維持することができる。
【００１０】
前記装着者が装着したときに前部となる前記装置本体の深さが深く、前記装置本体の後部が浅く形成されているのが望ましい。尿漏れを吸い取るときには、亀頭部分が装置本体の前部に、陰茎体部分が装置本体の後部に位置するように、男性装着者の陰茎を挿入することで、外径が大きい亀頭部分を深さが深い装置本体の前部に保持させ、亀頭部分と比較して外形が細い陰茎体を浅い後部に保持させることができる。従って、亀頭部分の先端を装置本体の前壁で覆うことができるので、装置本体で陰茎を保持させつつ、漏れた尿が外へ漏れ出にくい。
【００１１】
前記装置本体が、略帯状部材により形成され、前記検査部が、前記装置本体の装着面側に配置され、前記遮蔽部が、前記装置本体の一側の側部または他側の側部のいずれか一方、または両方に突出させて設けられ、前記検査部上に折り曲げて前記検査部を閉塞する翼部であると女性用の尿検査装置とすることができる。
女性装着者が尿道口に対応させて本発明の尿検査装置を配置して、尿漏れによる尿を吸水部により吸い取らせ、検査部によって検査すると、装置本体の一側の側部または他側の側部のいずれか一方、または両方に突出させて設けられた翼部で、検査部上に折り曲げて検査部を閉塞する。そうすることで、検査部は翼部により閉塞され、露出しなくなるので、検査部の状態を排尿したときの状態に維持することができる。
【００１２】
前記装置本体の一端部または両端部のいずれか一方、または両方を折り曲げて、折り曲げた前記翼部を覆い固定するための接着部が設けられているのが望ましい。
検査部を翼部で覆うだけでなく、装置本体の一端部または他端部のいずれか一方、または両方を折り曲げて覆うことで、より密閉度を高めることができる。
【発明の効果】
【００１３】
本発明の尿検査装置は、吸水部により下着を汚したり、ズボンやスカートを汚したりすることを防止することができ、かつ検査部により身体の状態を検査することができ、更に、遮蔽部により検査部を露出から遮蔽することで、検査部の検査環境が変化することが防止できる。従って、本発明の尿検査装置は、尿漏れによる下着の汚れを防止しつつ、身体の状態を正確に検査することができる。
【図面の簡単な説明】
【００１４】
【図１】本発明の実施の形態１に係る尿検査装置を示す斜視図である。
【図２】図１に示す尿検査装置の使用状態を示す断面図である。
【図３】本発明の実施の形態２に係る尿検査装置を示す斜視図である。
【図４】図２に示す尿検査装置の使用状態を示す平面図であり、（Ａ）は一方の翼部を折り返した状態を示す図、（Ｂ）は（Ａ）に引き続いて、他方の翼部を折り曲げた状態を示す図、（Ｃ）は（Ｂ）に引き続いて、一方の端部を折り曲げた状態を示す図、（Ｄ）は（Ｄ）に引き続いて、他方の端部を斜視図である。
【発明を実施するための形態】
【００１５】
（実施の形態１）
本発明の実施の形態１に係る尿検査装置を図面に基づいて説明する。なお、本明細書においては、尿検査装置の装着者側を後ろ、その反対側を前として説明する。
図１に示す男性用の尿検査装置１０は、略半球状の装置本体２０と、装置本体２０内に配置された検査部３０と、装置本体２０に設けられた遮蔽部４０とを備えている。
【００１６】
装置本体２０は、２枚の略半円状部材２１の円弧部分同士を接着して形成された外皮部２２と、外皮部２２の内側面に沿って配置された吸水部２３とを備えている。外皮部２２は、不透水性フィルムにより形成されている。外皮部２２は、男性装着者が尿検査装置１０を装着したときに、前部２０ａの深さが深く、後部２０ｂが前部２０ａより浅い形状に形成されている。吸水部２３は、高分子吸収ポリマーとも称される吸水性が高い高吸水性高分子体により形成されている。
【００１７】
検査部３０は、装置本体５０の底部に配置されている。検査部３０は、検査薬（試薬）を含浸させた試験紙を吸水部２３に貼り付けたものである。検査薬は、例えば、尿糖や尿蛋白の度合いが反応色によって判別できるものや、尿の酸性状態やアルカリ状態を反応色により判別するものとすることができる。
遮蔽部４０は、装置本体２０の開口部２４に一体的に設けられている。本実施の形態では、遮蔽部４０は、一側の略半円状部材２１と他側の略半円状部材２１の上部に配置され、密着部材として機能する、線状凸部を線状凹部に嵌合させるジッパー部材により形成されている。
【００１８】
以上のように構成された本発明の実施の形態１に係る男性用の尿検査装置１０の使用状態について、図面に基づいて説明する。
排尿が済んだ男性装着者は、尿検査装置１０を取り出し、親指と小指、または親指と人差し指の間に、尿検査装置１０の前端と後端とを挟み込み、間隔を狭めることで、装置本体２０の開口部２４が略楕円形に拡がる。男性装着者は、図２に示すように、陰茎Ｐを尿検査装置１０へ挿入する。
【００１９】
亀頭部分Ｐ１が装置本体２０の前部２０ａに、陰茎体部分Ｐ２が装置本体の後部２０ｂに位置するように、男性装着者の陰茎Ｐを挿入することで、外径が大きい亀頭部分Ｐ１を深さが深い装置本体２０の前部２０ａに保持させ、亀頭部分Ｐ１と比較して外形が細い陰茎体部分Ｐ２を浅い後部２０ｂに保持させることができる。従って、亀頭部分Ｐ１の先端を装置本体２０の前壁２５で覆うことができ、陰茎Ｐから漏れ出た残尿を吸水部２３により吸い取り保持することができるので、装置本体２０で陰茎Ｐを保持させつつ、漏れた尿が外へ漏れ出にくい。
【００２０】
尿検査装置１０内に漏れた残尿は、検査部３０の検査紙にも浸漬される。検査部３０が装置本体２０の底部に配置されているため、尿が検査部３０に直接付着する他、検査部３０に吸水部２３の表面を流れた尿も付着させることができる。
検査部３０は、尿の状態に応じて反応して発色する。男性装着者は、残尿が全て出たと感じたら、尿検査装置１０の前端と後端との挟み込みを緩めることで、略楕円形に拡がった装置本体２０の開口部２４が当初の形状に復帰する。
【００２１】
そして、男性装着者は、遮蔽部４０を形成するジッパー部材を、前端から後端へ、または後端から前端へ、親指と人差し指とで挟み込み押圧しながら移動させる。そうすることで、一方の略半円状部材２１側のジッパー部材と、他方の略半円状部材２１側のジッパー部材との凹凸が嵌合して密着する。遮蔽部４０が密着することで、装置本体２０の内部空間が閉塞されるので、検査部３０を露出から遮蔽することができる。
【００２２】
このように、装置本体２０の内部は閉塞された空間となり、検査部３０が露出しなくなるので、検査部３０により検査した状態を維持することができる。従って、尿検査装置１０は、尿漏れによる下着の汚れを防止しつつ、身体の状態を正確に検査することができる。
【００２３】
本実施の形態１では、遮蔽部４０を、線状凸部を線状凹部に嵌合させるジッパー部材としたが、面状ファスナーやクリップなどとしてもよい。しかし、密閉性が高いことから、遮蔽部４０はジッパー部材とするのが望ましい。
【００２４】
（実施の形態２）
本発明の実施の形態２に係る尿検査装置を図面に基づいて説明する。
図３に示す女性用の尿検査装置１１は、略帯状の装置本体５０と、装置本体５０上に配置された検査部６０と、装置本体５０の両側部に設けられた翼部７０とを備えている。
【００２５】
装置本体５０は、略帯状に形成された外皮部５１と、外皮部５１上に配置された吸水部５２とを備えている。外皮部５１は、装置本体５０と翼部７０とを合わせた輪郭形状に形成されている。外皮部５１は、装置本体５０の輪郭形状に合わせた不透水性フィルムにより形成されている。吸水部５２は、高分子吸収ポリマーとも称される吸水性が高い高吸水性高分子体により形成されている。装置本体５０の両端部の吸水部５２上には、剥離紙により粘着面が覆われた接着部５３が設けられている。
【００２６】
検査部６０は、装置本体５０の略中央部に配置されている。検査部６０は、実施の形態１の検査部３０と同様に、検査薬（試薬）を含浸させた試験紙を吸水部２３に貼り付けたものである。検査薬は、例えば、尿糖や尿蛋白の度合いが反応色によって判別できるものや、尿の酸性状態やアルカリ状態を反応色により判別するものとすることができる。
【００２７】
翼部７０は、装置本体５０両側部から突出しており、折り曲げ検査部６０を覆うことで、遮蔽部として機能する。本実施の形態２では、外皮部５１と一体的としていることで、装置本体５０の一部として形成されている。
【００２８】
以上のように構成された本発明の実施の形態２に係る女性用の尿検査装置１１の使用状態について、図面に基づいて説明する。
排尿が済んだ女性装着者は、尿検査装置１１を取り出し、下着の股部分に配置する。尿検査装置１１を下着の股部分に配置する際には、検査部６０を尿道口に対応するようにする。
【００２９】
装着者の尿道口から漏れ出た残尿は、吸水部５２に滴下され、吸水部５２に吸い取り保持されるので、残尿が下着を汚したり、肌に付いたりすることが防止できる。
尿検査装置１１内に漏れた残尿は、検査部６０の検査紙にも浸漬される。検査部６０は、尿の状態に応じて反応して発色する。女性装着者は、残尿が全て出たと感じたら、一方の翼部７０を内側に折り曲げた後（図４（Ａ）参照）、他方の翼部７０も折り曲げる（図４（Ｂ）参照）。翼部７０を内側に折り曲げ、検査部６０を覆うことで、検査部６０の露出を遮断する。検査部６０が露出しなくなることで、検査部６０による検査を維持することができるので、尿検査装置１１は、尿漏れによる下着の汚れを防止しつつ、身体の状態を正確に検査することができる。
【００３０】
更に、装置本体５０の後端部５０ａ側を先に折り曲げて、折り曲げた翼部７０上に重ねた後（図４（Ｃ）参照）、装置本体５０の前端部５０ｂに設けた接着部５３の剥離紙を剥がし、接着面を露出させて、装置本体５０の前端部５０ｂを装置本体５０の後端部５０ａに重ね、接着部５３により固定する（図４（Ｄ）参照）。検査部６０を翼部で覆うだけでなく、装置本体５０の後端部５０ａおよび前端部５０ｂを折り曲げて覆うことで、より密閉度を高めることができる。
【００３１】
なお、本実施の形態２では、後端部５０ａを一端部、前端部５０ｂを他端部として、両方を折り曲げて、検査部６０を覆う翼部７０に重ねているが、いずれか一方でもよい。その場合には、折り曲げる端部に接着部５３が設けられていればよい。
また、翼部７０は、装置本体５０の両側部に設けられているが、一側の側部または他側の側部のいずれか一方でもよい。装置本体５０の両端部で検査部６０をカバーしないときは、翼部７０に接着部５３を設けるのが望ましい。
【００３２】
本実施の形態１，２では、検査部３０を検査紙に検査薬を含浸させたものとしているが、吸水部２３に直接検査薬を含浸させて、その場所を検査部としてものとしてもよい。
【産業上の利用可能性】
【００３３】
本発明の尿検査装置は、尿漏れが心配であり、健康に気を使っている者に、好適に使用できる。
【符号の説明】
【００３４】
１０，１１  尿検査装置
２０  装置本体
２０ａ  前部
２０ｂ  後部
２１  略半円状部材
２２  外皮部
２３  吸水部
２４  開口部
２５  前壁
３０  検査部
４０  遮蔽部
５０  装置本体
５０ａ  後端部
５０ｂ  前端部
５１  外皮部
５２  吸水部
５３  接着部
６０  検査部
７０  翼部
Ｐ  陰茎
Ｐ１  亀頭部分
Ｐ２  陰茎体部分
【図１】
2014100388.tif 000003
【図２】
2014100388.tif 000004
【図３】
2014100388.tif 000005
【図４】
2014100388.tif 000006